(57)【要約】【課題】配管ラインに対して同軸的に組み込むインラインストレーナについて、全体サイズの縮小や異物の回収効率向上などを図れるようにすることを課題としている。【解決手段】ハウジング２と、流入口７からハウジング２内に導入される液体を旋回流となす旋回流生成部品３と、筒状フィルタエレメント４と、そのフィルタエレメントの流出口側の開口端に接続されるテーパコーン状の集塵筒５と、異物排出口９を閉鎖するバルブキャップ６を備え、旋回流生成部品３によって旋回流となした液体をフィルタエレメント４の内側から外側に向けて透過させて濾過し、濾過後の液体をフィルタエレメントと集塵筒５の外周の通路１５に通して流出口８に流し、フィルタエレメント４の内部に残った異物を旋回流によって洗い流して集塵筒５に流し込むようにした。【選択図】図１
2014178000.tif 000002
【特許請求の範囲】
【請求項１】
配管ライン（Ｌ）の長手途中に組み込まれるインラインストレーナであって、
一端に流入口（７）を、他端に流出口（８）を、長手途中の外周に異物排出口（９）をそれぞれ備える筒状のハウジング（２）と、そのハウジングの流入口（７）側の内部に設置されて流入口からハウジング内に導入される液体を旋回流となす旋回流生成部品（３）と、その旋回流生成部品に流入口側の開口端を接続する筒状フィルタエレメント（４）と、そのフィルタエレメントの流出口側の開口端に接続される配管ラインの長手方向に延びた集塵筒（５）と、前記異物排出口（９）を閉鎖するバルブキャップ（６）を備え、
前記集塵筒（５）は、外周の１箇所に前記異物排出口（９）に繋がれる出口（１１）が設けられた筒であり、
前記旋回流生成部品（３）によって旋回流となした液体を前記フィルタエレメント（４）の内側から外側に向けて透過させて濾過し、濾過後の液体を前記フィルタエレメント（４）及び前記集塵筒（５）の外周と前記ハウジング（２）の内面との間に形成される通路（１５）に通して前記流出口（８）に流し、前記フィルタエレメント（４）の内部に残った異物を旋回流によって洗い流して前記集塵筒（５）に流し込むようにしたインラインストレーナ。
【請求項２】
前記集塵筒（５）を、前記流入口側（７）から前記流出口側（８）に向かって縮径したテーパコーン状に形成し、その流出口側端部の外周に前記出口（１１）が設けられた筒にした請求項１に記載のインラインストレーナ。
【請求項３】
前記バルブキャップ（６）として、ねじ嵌合構造のキャップ（６ａ）の内部に、前記異物排出口（９）の出口端の弁座に接離する弁シート（６ｂ）を有し、締付け方向への回転で前記弁シート（６ｂ）が前記弁座に押し付けられて前記異物排出口（９）が閉鎖され、緩め方向への回転で前記弁シート（６ｂ）が前記弁座から離れて前記集塵筒（５）の内部が前記キャップ（６ａ）の底壁に形成された外部開放の孔（１７）に連通するように構成されたものを使用した請求項１又は２に記載のインラインストレーナ。
【請求項４】
前記集塵筒（５）の外周に軸方向に延びる突片（１２）を設け、その突片を前記ハウジングの内面に設けたガイド溝（１３）に挿入して前記集塵筒（５）の位置決めと回り止めを行うようにした請求項１〜３のいずれかに記載のインラインストレーナ。
【発明の詳細な説明】
【技術分野】
【０００１】
この発明は、農薬や植物への供給水などの液体を通す配管ラインに組み込んでその配管ラインに流される液体中の異物（ゴミ）を濾し取るインラインストレーナに関する。
【背景技術】
【０００２】
首記のインラインストレーナの従来技術として、例えば、下記特許文献１，２などに記載されたものが知られている。
【０００３】
特許文献１に開示されたインラインストレーナは、配管ラインの途中に同軸的に組み込まれるものであって、一端に流入口を他端に流出口を有する筒状ハウジングの内部にサイクロン筒体とストレーナエレメントを設置している。
【０００４】
このインラインストレーナは、前記流入口からハウジングの内部に液体を導入し、その液体の流れをハウジングの他端側で旋回させながら反転させて液体をサイクロン筒体の内側に導入する。そして、前記ストレーナエレメントを通過させることで異物を濾し取るようにしている。
【０００５】
また、サイクロン筒体は、ハウジングの流入口寄りに置かれる部分をハウジングの流入口側に向かって縮径させ、ストレーナエレメントによって濾し取られた異物がその縮径部に集められるようにしている。サイクロン筒体の縮径の先端には異物の取出し口が設けられており、必要時にその取出し口をあけて滞留した異物を取り出すことができる。
【０００６】
一方、特許文献２に開示されたインラインストレーナは、配管ラインの途中に同配管ラインに対して軸直角向きに組み込まれるものであって、側部の吸水管から筒状本体の内部に導入された液体をノズルから噴出させることで旋回流を発生させ、その旋回流を筒状本体とノズルとの間に配置された筒状フィルタに通し、吸水管と反対側の側部に設けた送水管から流出させるものになっている。
【０００７】
この特許文献２のインラインストレーナは、本体の下部にテーパコーン状のサイクロン室を設けており、筒状フィルタに濾し取られた異物がそのサイクロン室の内部に溜る。サイクロン室の下端には開閉可能な異物の排出口がある。
【先行技術文献】
【特許文献】
【０００８】
【特許文献１】特許第４８８１９７７号公報
【特許文献２】実開昭６１−７５８０７号公報
【発明の概要】
【発明が解決しようとする課題】
【０００９】
前記特許文献１のインラインストレーナは、ハウジングの内部に導入した液体の流れをハウジングの他端側で反転させるため、サイクロン筒体のサイズを縮小することが難しく、全体の長さが長くなる傾向があった。
【００１０】
また、ハウジングの内部で流れが反転した液体は、ストレーナエレメントを通過した後に再度反転して流出口に向かうため、サイクロン筒体の縮径部の先端付近では液体の流れが弱くなり、濾し取られた異物を取出し口付近に集める機能の更なる向上を図るのも難しかった。
【００１１】
特許文献２のインラインストレーナは、配管ラインに対して軸直角向きに組み込むため、配管ラインに対して同軸的に組み込み物に比べて設置規制を受けやすい。
【００１２】
また、このインラインストレーナも、発生させた旋回流がサイクロン室の下端までは届き難い構造になっている。重みのある異物は自重で沈下してサイクロン室に堆積するが、液体に浮きやすくて沈下し難い異物はフィルタの内面に付着するためサイクロン室にうまく回収されず、フィルタの目詰まりを進行させ易いと考えられる。
【００１３】
この発明は、特許文献１が示しているように、配管ラインに対して同軸的に組み込むインラインストレーナについて、全体サイズの縮小や異物の回収効率向上などを図れるようにすることを課題としている。
【課題を解決するための手段】
【００１４】
上記の課題を解決するため、この発明においては、配管ラインの長手途中に組み込まれるインラインストレーナを以下の通りに構成した。
【００１５】
具体的には、一端に流入口を、他端に流出口を、長手途中の外周に異物排出口をそれぞれ備える筒状のハウジングと、そのハウジングの流入口側の内部に設置されて流入口からハウジング内に導入される液体を旋回させる旋回流生成部品と、その旋回流生成部品に流入口側の開口端を接続する筒状フィルタエレメントと、そのフィルタエレメントの流出口側の開口端に接続される配管ラインの長手方向に延びた集塵筒と、前記異物排出口を閉鎖するバルブキャップを備えさせた。
【００１６】
また、前記集塵筒は、流出口側端部が閉鎖され、なおかつ、外周の１箇所に前記異物排出口に繋がれる出口が設けられた筒にした。
【００１７】
そして、前記旋回流生成部品によって旋回流となした液体を前記フィルタエレメントの内側から外側に向けて透過させて濾過し、濾過後の液体を前記フィルタエレメント及び前記集塵筒の外周と前記ハウジングの内面との間に形成される通路に通して前記流出口に流し、前記フィルタエレメントの内部に残った異物を旋回流によって洗い流して前記集塵筒に流し込むようにした。
【００１８】
このインラインストレーナは、前記集塵筒を、前記流入口側から前記流出口側に向かって縮径したテーパコーン状に形成し、その流出口側端部の外周に前記出口が設けられた筒にすると好ましい。
【００１９】
また、前記バルブキャップとして、ねじ嵌合構造のキャップの内部に前記異物排出口の出口端の弁座に接離する弁シートを有し、締付け方向への回転で前記弁シートが前記弁座に押し付けられて前記異物排出口が閉鎖され、緩め方向への回転で前記弁シートが前記弁座から離れて前記集塵筒の内部が前記キャップの底壁に形成された外部開放の孔に連通するように構成されたものを使用すると好ましい。
【００２０】
また、前記集塵筒は、軸方向に延びる突片を外周に設け、その突片をハウジングの内面に設けたガイド溝に挿入して位置決めと回り止めを行うと好ましい。
【発明の効果】
【００２１】
この発明のインラインストレーナは、前記流入口からハウジングの内部に導入された液体が旋回流生成部品を通過して旋回流となり、その旋回流がフィルタエレメントの内側に導入される。
【００２２】
フィルタエレメントの内側に導入された液体は、フィルタエレメントの流出口側開口端が集塵筒によって塞がれているため、フィルタエレメントの内面に沿って旋回しながら直進する間にフィルタエレメントを透過してそのフィルタエレメントの外側に流れ、そのときに異物が濾し取られる。
【００２３】
また、濾し取られてフィルタエレメントの内面に付着した異物は、フィルタエレメントの内部に生じた旋回流によって効果的に洗い流され、前進する旋回流に乗って集塵筒の内部に効果的に取り込まれる。集塵筒が直進する旋回流の進行方向前方にあるため、集塵筒に対する異物の取り込み効果は従来品に勝るものになる。
【００２４】
また、フィルタエレメントの内面の異物が効果的に洗い流されることでフィルタの目詰りも起こり難くなる。
【００２５】
さらに、フィルタエレメントの内側に導入した液体を旋回させながらフィルタエレメントを通過させて濾過を行うため、集塵筒の長さを十分に短くすることができ、これにより、ストレーナの全体サイズの縮小やコスト低減を図ることも可能になる。
【図面の簡単な説明】
【００２６】
【図１】この発明のインラインストレーナの一形態を示す断面図
【図２】図１のII−IIに沿った断面図（集塵筒は一部を破断）
【図３】図２のIII−IIIに沿った断面図
【図４】図１のインラインストレーナの分解斜視図
【発明を実施するための形態】
【００２７】
以下、この発明のインラインストレーナの実施の形態を添付図面の図１〜図４に基づいて説明する。
【００２８】
図１及び図４に示すように、例示のインラインストレーナ１は、筒状をなすハウジング２と、旋回流生成部品３と、筒状をなすフィルタエレメント４と、集塵筒５及びバルブキャップ６を組み合わせて構成されている。
【００２９】
ハウジング２は、一端に流入口７を、他端に流出口８を有し、さらに、長手途中の外周に異物排出口９を有する。１０は、そのハウジングの流出口側に着脱自在に取り付けた端部キャップであり、この端部キャップ１０に流出口８が設けられている。
【００３０】
旋回流生成部品３は、ハウジング２の内部の流入口側端部に組み込まれる。この旋回流生成部品３には所定の方向にねじれたねじれ通路３ａを複数設けており、そのねじれ通路３ａを通ることで液体に回転する力が付与されてフィルタエレメント４の内部に旋回流が生成される。図４には、この旋回流生成部品３を上流側から見た図と下流側から見た図（これは拡大図にした）を併せて示した。
【００３１】
なお、旋回流はねじれ通路３ａがひとつしかなくても作り出せる。この旋回流生成部品３は、旋回流を作り出せるものであればよく、例示の形態に限定されない。
【００３２】
フィルタエレメント４は、流入口７側の開口端が旋回流生成部品３に着脱自在に接続される。また、このフィルタエレメント４の流出口８側の開口端に集塵筒５が着脱自在に接続される。
【００３３】
集塵筒５は、流入口側７から流出口側８に向かって次第に縮径したテーパコーン状の筒になっている。この集塵筒５の流出口側端部は閉鎖されており、また、この集塵筒５の外周の１箇所には、異物排出口９に繋がれる出口１１が設けられている。
【００３４】
この集塵筒５は、その筒を出口１１が異物排出口９に繋がれる位置に位置決めし、さらに、その筒を位置決め点に保持するために、図２、図３に示すように、外周の１８０°回転した位置に軸方向に延びる突片１２を設け、その突片１２をハウジング２の内面に設けたガイド溝１３に挿入して位置決めと回り止めを行っている。
【００３５】
突片１２は、図２に示すように、長手方向の端部を集塵筒５の閉鎖端よりも配管ラインの下流側（流出口８側）に突出させており、その突出部の先端を端部キャップ１０の内面に突き当てた状態で集塵筒５の外周と端部キャップ１０の内面との間に流出口に抜ける通路１４が作り出されるようになっている。
【００３６】
その通路１４は、フィルタエレメント４及び集塵筒５の外周とハウジング２の内面との間に形成される通路１５に通じている。
【００３７】
バルブキャップ６は、ねじ嵌合構造のキャップ６ａの内部に弁シート６ｂ設けたものを採用している。
【００３８】
異物排出口９は、ハウジングの外部に突出して設けた枝管１６の穴で構成しており、その異物排出口９の出口端（枝管１６の端面）を弁座にしてそこに弁シート６ｂを接離させることで異物排出口９を開閉する構造になっている。
【００３９】
枝管１６の外周に螺合させたキャップ６ａを締付け方向に回転させると、弁シート６ｂが弁座に押し付けられて異物排出口９が閉鎖され、緩め方向への回転で弁シート６ｂが弁座から離れて異物排出口９が開かれる。
【００４０】
キャップ６ａの底壁には外部に開放した孔１７が設けられており、弁シート６ｂが弁座から離れると集塵筒５が孔１７に連通し、集塵筒５の内部に溜まった異物が外部に排出される。
【００４１】
異物の排出は、配管ラインに液体を流している状態で行うと、フィルタエレメント４の内部に生じた旋回流が異物排出口９まで流れ、その旋回流により集塵筒５の内部に溜まった異物が瞬時に排出される。従って、配管ラインに液体を流しながらの異物の排出であっても、液体を多量に漏出させることはない。
【００４２】
なお、例示のバルブキャップ６は、キャップ６ａを完全に取り外さずに異物排出口９を開閉することができ、使い勝手に優れるが、バルブキャップ６は、枝管１６に着脱して異物排出口９を開閉する構造のものであっても構わない。
【００４３】
また、集塵筒５は、図示した形状、即ち流入口側７から流出口８側に向かって縮径したテーパコーン状にすると、集めた異物を液体の流れを利用して排出するときに流路の流速が高められ、異物の排出が円滑化される効果が得られるが、異物の回収と排出の目的は、テーパコーン状でなくても達成される。
【００４４】
図１の１８は、雌ねじ付きジョイント、１９は雄ねじ付きジョイントであり、これ等はハウジング２を配管ラインＬに接続する目的で設けられている。ハウジング２の配管ラインＬに対する接続は、フランジなどを設けて行うこともでき、例示のジョイントを必須とするものではない。
【００４５】
図１の２０は、旋回流生成部品３とハウジング２との間をシールするＯリング、２１は、端部キャップ１０とハウジング２間に挟み込むシールパッキン、２２は、端部キャップ１０と雄ねじ付きジョイントに螺合させる配管ライン接続用袋ナットとの間に挟むシールパッキンである。これ等もこの発明を特徴づける要素ではない。
【００４６】
この発明のインラインストレーナは、小型のもので液体に混入した異物を効率よく回収して排出することができる。これにより異物の混入した雨水の貯流水なども有効に活用することが可能になる。
【符号の説明】
【００４７】
１          インラインストレーナ
２          ハウジング
３          旋回流生成部品
３ａ        ねじれ通路
４          フィルタエレメント
５          集塵筒
６          バルブキャップ
６ａ        キャップ
６ｂ        弁シート
７          流入口
８          流出口
９          異物排出口
１０        ハウジングの端部キャップ
１１        集塵筒の出口
１２        突片
１３        ガイド溝
１４、１５  通路
１６        枝管
１７        孔
１８        雌ねじ付きジョイント
１９        雄ねじ付きジョイント
２０        Ｏリング
２１、２２  シールパッキン
Ｌ          配管ライン
【図１】
2014178000.tif 000003
【図２】
2014178000.tif 000004
【図３】
2014178000.tif 000005
【図４】
2014178000.tif 000006